(57)【要約】【課題】見栄えを損なわずに、横置き及び縦置きの両姿勢に対応させた扇風機を提供する。【解決手段】扇風機は、互いに交差する矩形環状の第１フレーム１及び第２フレーム２と、２つのフレーム１，２の少なくとも一方に揺動可能に取り付けられ、ファン及びモータを収納するケースを有する送風ユニット３と、を有する。第１フレーム１及び第２フレーム２はそれぞれ脚となり得る第１辺（１ａ，２ａ）及び第２辺（１ｂ，２ｂ）を有する。各フレームの第１辺（１ａ，２ａ）が形成する第１仮想面（ＸＺ平面）と、各フレームの第２辺（１ｂ，２ｂ）が形成する第２仮想面（ＹＺ平面）と、が互いに直交している。【選択図】図２
0003205236.tif 000002
【実用新案登録請求の範囲】
【請求項１】
互いに交差する矩形環状の第１フレーム及び第２フレームと、
前記２つのフレームの少なくとも一方に揺動可能に取り付けられ、ファン及びモータを収納するケースを有する送風ユニットと、を備え、
前記第１フレーム及び第２フレームはそれぞれ脚となり得る第１辺及び第２辺を有し、
各フレームの前記第１辺が形成する第１仮想面と、各フレームの前記第２辺が形成する第２仮想面と、が互いに直交している、扇風機。
【請求項２】
前記第１フレーム及び前記第２フレームは、交差姿勢と、全体として矩形環状をなす折り畳み姿勢との間で変形可能に構成されている、請求項１に記載の扇風機。
【請求項３】
前記送風ユニットは、前記第１フレーム及び第２フレームの矩形環状内に収まる平板状をなし、前記折り畳み姿勢において前記第１フレーム、前記第２フレーム及び前記送風ユニットが全体として平板状となる、請求項２に記載の扇風機。
【請求項４】
前記第１フレーム及び前記第２フレームは、一辺の中央で交差している、請求項１〜３のいずれかに記載の扇風機。
【請求項５】
前記送風ユニットが２つ以上設けられ、各々の送風ユニットは、独立して揺動可能に構成されている、請求項１〜４のいずれかに記載の扇風機。
【請求項６】
前記第１辺及び前記第２辺には、脚となるゴム部材又は樹脂部材が取り付けられている、請求項１〜５のいずれかに記載の扇風機。
【考案の詳細な説明】
【技術分野】
【０００１】
本考案は、扇風機に関する。
【背景技術】
【０００２】
扇風機の一例として、特許文献１には、ケースに電動機及びファンが収容された送風部と、ベース部と、ベース部から起立し送風部を支持するフレームと、を有する扇風機が開示されている。この扇風機は、自立姿勢と折り畳み姿勢とで変形可能に構成されている。
【先行技術文献】
【特許文献】
【０００３】
【特許文献１】実用新案登録３１９１８７１号公報
【考案の概要】
【考案が解決しようとする課題】
【０００４】
上記特許文献では、リビング用に適した扇風機が開示されている。一方、卓上用などの小型扇風機は、狭い卓上の環境に合わせて横置き姿勢及び縦置き姿勢を選択できることが好ましい。かといって、ケースを単なる箱形にして横置き及び縦置きの両姿勢を可能にしただけでは、見栄えがよいとはいえない。
【０００５】
本考案は、このような課題に着目してなされたものであって、その目的は、見栄えを損なわずに、横置き及び縦置きの両姿勢に対応させた扇風機を提供することである。
【課題を解決するための手段】
【０００６】
本考案は、かかる目的を達成するために、次のような手段を講じたものである。
【０００７】
すなわち、本考案の扇風機は、互いに交差する矩形環状の第１フレーム及び第２フレームと、前記２つのフレームの少なくとも一方に揺動可能に取り付けられ、ファン及びモータを収納するケースを有する送風ユニットと、を備え、前記第１フレーム及び第２フレームはそれぞれ脚となり得る第１辺及び第２辺を有し、各フレームの前記第１辺が形成する第１仮想面と、各フレームの前記第２辺が形成する第２仮想面と、が互いに直交している。
【０００８】
この構成によれば、脚となり得る第１辺が形成する第１仮想面と、脚となり得る第２辺が形成する第２仮想面とが互いに直交しているので、縦置き及び横置きが可能となる。それでいて、縦置き及び横置きの実現に２つのフレームを使用するだけなので、簡素な構造となり、フレーム間には空間が存在するので、見栄えを向上させることが可能となる。
【図面の簡単な説明】
【０００９】
【図１】本考案の一実施形態に係る横置きの扇風機を示す斜視図。
【図２】縦置きの扇風機を示す斜視図。
【図３】折り畳み姿勢の扇風機を示す正面図。
【図４】折り畳み姿勢の扇風機を示す斜視図。
【考案を実施するための形態】
【００１０】
以下、本考案の一実施形態の扇風機を、図面を参照して説明する。
【００１１】
図１〜４に示すように、扇風機は、少なくとも１つの送風ユニット３と、互いに交差する矩形環状の第１フレーム１及び第２フレーム２と、を有する。
【００１２】
送風ユニット３は、ファンと、ファンを回転させるモータと、ファン及びモータを収容するケースと、を有する。本実施形態では、ケースは、平板状に形成され、表面に送風口が形成され、裏面に吸気口が形成されている。本実施形態では、送風ユニット３が２つ並んで配置されている。
【００１３】
第１フレーム１及び第２フレームは、正面視にて矩形状且つ環状をなし、金属材で形成されている。本実施形態では、第１フレーム１及び第２フレーム２は、複数の送風ユニット３が並ぶ方向を長手方向Ｘとする長方形状に形成されている。本明細書では説明の便宜のために、長辺を第１辺（１ａ，２ａ）と呼び、短辺を第２辺（１ｂ，２ｂ）と呼ぶ。本実施形態では、第１フレーム１及び第２フレーム２は、各々の第２辺（１ｂ，２ｂ）の中央で交差しているが、これに限定されない。例えば、第２辺（１ｂ，２ｂ）の任意の位置で交差させてよい。また、第２辺（１ｂ，２ｂ）の端部で交差させてもよい（すなわち、第１辺同士（１ａ，２ａ）を結合させる）。
【００１４】
送風ユニット３は、第１フレーム１と第２フレーム２の交差部において両フレーム１，２に対して揺動可能に固定されている。もちろん、送風ユニット３は、一方のみのフレームに取り付けられていてもよい。また、各々の送風ユニット３は、独立して揺動可能に構成されている。一方の送風ユニット３には、操作ユニット４が一体に設けられている。操作ユニット４は、各々の送風ユニット３に対応するボタン４０が設けられている。ボタン４０を押すことで対応する送風ユニット３の駆動状態を選択できる。例えば、弱風、強風、停止などが挙げられる。操作ユニット４の裏面には、電源接続部（不図示）があり、これにより、給電を受けてモータを回転させ、風を発生させることができる。勿論、操作ユニットにバッテリを設けてもよい。
【００１５】
図２に示すように、第１フレーム１及び第２フレーム２は、それぞれ脚となり得る第１辺（１ａ，２ａ）及び第２辺（１ｂ，２ｂ）を有する。各フレーム１，２の第１辺（１ａ，２ａ）が形成する第１仮想面（ＸＺ平面）と、各フレーム１，２の第２辺（１ｂ，２ｂ）が形成する第２仮想面（ＹＺ平面）と、が互いに直交している。第１辺及び前記第２辺には、脚となるゴム部材５又は樹脂部材５が取り付けられている。
【００１６】
第１フレーム１及び第２フレーム２は、交差部分で回転可能に構成され、これにより、互いの第２辺（１ｂ，２ｂ）が交差する交差姿勢（図１，２参照）と、第１辺（１ａ，２ａ）及び第２辺（１ｂ，２ｂ）が平行となり全体として矩形環状をなす折り畳み姿勢（図３，４参照）との間で変形可能に構成されている。第１フレーム１と第２フレーム２との開き角度が所定角度を超えないように角度規制機構（不図示）が設けられている。この機構は、一方にフレームに突部が設けられ、対応する他方のフレームに凹み部が設けられ、凹み部の大きさによって突部の可動域（すなわちフレームの開き角度）が規定されている。
【００１７】
図３，４に示すように、送風ユニット３は、第１フレーム１及び第２フレーム２の矩形環状内に収まる平板状をなしている。これにより、折り畳み姿勢において第１フレーム１、第２フレーム２及び送風ユニット３が全体として平板状になり、コンパクトになる。
【００１８】
不使用時は、図３，４にしめすように、第１フレーム１及び第２フレーム２を折り畳み姿勢にすれば、全体が平板状となりコンパクトになる。使用時は、図１，２に示すように、第１フレーム１及び第２フレーム２を交差姿勢にすればよい。図１に示すように、第１辺（１ａ，２ａ）を脚として利用すれば、横置き姿勢となる。図２に示すように、第２辺（１ｂ，２ｂ）を脚として利用すれば、縦置き姿勢となる。いずれの使用方法でも、フレーム１，２間に空間があるので、箱形のケースを採用する場合に比べて圧迫感がなく、見栄えも向上させることが可能となる。
【００１９】
以上のように、本実施形態の扇風機は、互いに交差する矩形環状の第１フレーム１及び第２フレーム２と、２つのフレーム１，２の少なくとも一方に揺動可能に取り付けられ、ファン及びモータを収納するケースを有する送風ユニット３と、を備える。第１フレーム１及び第２フレーム２はそれぞれ脚となり得る第１辺（１ａ，２ａ）及び第２辺（１ｂ，２ｂ）を有する。各フレームの第１辺（１ａ，２ａ）が形成する第１仮想面（ＸＺ平面）と、各フレームの第２辺（１ｂ，２ｂ）が形成する第２仮想面（ＹＺ平面）と、が互いに直交している。
【００２０】
この構成によれば、脚となり得る第１辺（１ａ，２ａ）が形成する第１仮想面（ＸＺ平面）と、脚となり得る第２辺（１ｂ，２ｂ）が形成する第２仮想面（ＹＺ平面）とが互いに直交しているので、縦置き及び横置きが可能となる。それでいて、縦置き及び横置きの実現に２つのフレーム１，２を使用するだけなので、簡素な構造となり、フレーム１，２間には空間が存在するので、見栄えを向上させることが可能となる。
【００２１】
本実施形態では、第１フレーム１及び第２フレーム２は、交差姿勢（図１，２参照）と、全体として矩形環状をなす折り畳み姿勢（図３，４参照）との間で変形可能に構成されている。この構成によれば、不使用時には、全体として矩形環状をなす折り畳み姿勢とされ、収納や持ち運びが簡単となる。
【００２２】
本実施形態では、送風ユニット３は、第１フレーム１及び第２フレーム２の矩形環状内に収まる平板状をなし、折り畳み姿勢において第１フレーム１、第２フレーム２及び送風ユニット３が全体として平板状となる。この構成によれば、折り畳み姿勢のときは、全体として平板状になり、コンパクトになって好ましい。
【００２３】
本実施形態では、第１フレーム１及び第２フレーム２は、一辺（１ｂ，２ｂ）の中央で交差している。この構成によれば、バランスがよくなるので、倒れにくい扇風機を得ることが可能となる。
【００２４】
本実施形態では、送風ユニット３が２つ以上設けられ、各々の送風ユニット３は、独立して揺動可能に構成されている。この構成によれば、各々の送風ユニット３の向きをバラバラに設定でき、広範囲に送風するか、一箇所に送風を集中させるといった種々の使用方法が可能となり、利便性を向上させることが可能となる。
【００２５】
本実施形態では、第１辺（１ａ，２ａ）及び第２辺（１ｂ，２ｂ）には、脚となるゴム部材５又は樹脂部材５が取り付けられている。この構成によれば、ゴム部材５又は樹脂部材５が滑り止めとなり、適切な支持が可能となる。
【００２６】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００２７】
なお、上記の各実施形態で採用している構造を他の任意の実施形態に採用することは可能である。各部の具体的な構成は、上述した実施形態のみに限定されるものではなく、本考案の趣旨を逸脱しない範囲で種々変形が可能である。
【符号の説明】
【００２８】
１…第１フレーム
１ａ…第１辺
１ｂ…第２辺
２…第２フレーム
２ａ…第１辺
２ｂ…第２辺
３…送風ユニット
５…ゴム部材（樹脂部材）
ＸＺ…第１仮想面
ＹＺ…第２仮想面
【図１】
0003205236.tif 000003
【図２】
0003205236.tif 000004
【図３】
0003205236.tif 000005
【図４】
0003205236.tif 000006